(57)【要約】【課題】雨量の多少などにおうじて、軒樋の雨水の排水容量を変動させることができる軒樋支持具および軒樋セットを提供する。【解決手段】軒樋支持具２０は、前耳１３と後耳１４とを備えた軒樋１０を支持する支持具本体２１を備えており、前耳１３が後耳１４よりも高く配される定常側と、前耳１３が後耳１４と略同高さ位置に配される最下側とのすくなくとも２箇所で軒樋１０を支持できるように、支持具本体２１を回動させるヒンジ部２３を備えている。【選択図】図２
2020133185.tif 000002
【特許請求の範囲】
【請求項１】
前耳と後耳とを備えた軒樋を支持する支持具本体を備えた軒樋支持具において、
前記前耳が前記後耳よりも高く配される定常側と、前記前耳が前記後耳と略同高さ位置に配される最下側とのすくなくとも２箇所で前記軒樋を支持できるように、前記支持具本体を回動させるヒンジ部を備えたことを特徴とする軒樋支持具。
【請求項２】
請求項１において、
前記ヒンジ部がトルクヒンジで構成されていることを特徴とする軒樋支持具。
【請求項３】
請求項１または２に記載の軒樋支持具と、軒樋とを備えたことを特徴とする軒樋セット。
【請求項４】
請求項３において、
前記軒樋は、本体部と、該本体部の前端より上方に延出した延出部とを備え、前記本体部の後端部に後耳が形成され、前記延出部の上端部に前耳が形成されている一方、前記支持具本体は、前記後耳から前記前耳にいたる前記軒樋の外面側に配される構成としたことを特徴とする軒樋セット。
【発明の詳細な説明】
【技術分野】
【０００１】
本発明は軒樋を支持する軒樋支持具および軒樋セットに関する。
【背景技術】
【０００２】
一般的な軒樋支持具は、軒樋支持具を軒先に固定するための固定部と、固定部より前方に延出した足部と、その前方において軒樋を支持する支持具本体とを備えた構成とされている（例えば、特許文献１、２参照）。
【０００３】
図９に示すように、従来の軒樋支持具１１０は、例えば断面が略半円状の軒樋（丸樋）１００を支持するものでは、帯板を湾曲、折曲加工した形状とされ、軒先面３に取り付けた状態では、形状におうじて最大限の排水容量を確保するために、前耳１０１と後耳１０２との高さ位置はおおむね合致している。この耳の高さ位置関係におうじて、軒樋支持具１１０の前耳保持部１１１と後耳保持部１１２とについても略同高さに配されることが通例である。なお、図９中の符号３は軒樋支持具１１０が固定される軒先面、符号５は屋根、符号Ｌは軒樋１００の最大水位である。
【０００４】
ところで、軒樋は雨水を排水するための水路を形成したものであるため、軒樋の設置状態や、雨量の多少を想定して、それに対応した排水容量の軒樋が用いられる。図９の例では、軒樋の排水容量の上限を２点鎖線で示した。
【先行技術文献】
【特許文献】
【０００５】
【特許文献１】特開２０１８−１７２９２１号公報
【特許文献２】実開昭５８−３９９１９号公報
【発明の概要】
【発明が解決しようとする課題】
【０００６】
しかしながら、最大の排水量を想定して軒樋を選択して、容量が大きく、かつ見栄えの大きな軒樋を取り付ければ、その大きさにより意匠性が損なわれるおそれがある。もちろん、オーバーフローを起こすことを想定すれば、小さすぎる軒樋を取り付けることはできない。
【０００７】
本発明は、このような事情を考慮して提案されたもので、その目的は、雨量の多少などにおうじて、軒樋の雨水の排水容量を変動させることができる軒樋支持具および軒樋セットを提供することにある。
【０００８】
なお、上記特許文献２のものは、雪の重みや、ツララによる押圧で軒樋や軒樋支持具が破損することを回避するために、支持具本体を下方に回動させて軒樋の前耳側を下方に傾けることを可能とした回動構造を備えている。つまり、この軒樋は排水容量が変動するものである。しかし、軒樋を下方に傾けたときには軒樋本来の排水機能が失われるため、この種の軒樋支持具を上記目的として用いることはできない。
【課題を解決するための手段】
【０００９】
上記目的を達成するために、請求項１に記載の軒樋支持具は、前耳と後耳とを備えた軒樋を支持する支持具本体を備えた軒樋支持具において、前記前耳が前記後耳よりも高く配される定常側と、前記前耳が前記後耳と略同高さ位置に配される最下側とのすくなくとも２箇所で前記軒樋を支持できるように、前記支持具本体を回動させるヒンジ部を備えたことを特徴とする。
【００１０】
請求項２に記載の軒樋支持具は、前記ヒンジ部がトルクヒンジで構成されていることを特徴とする。
【００１１】
請求項３に記載の軒樋セットは、軒樋支持具と、軒樋とを備えたことを特徴とする。
【００１２】
請求項４に記載の軒樋セットは、前記軒樋は、本体部と、該本体部の前端より上方に延出した延出部とを備え、前記本体部の後端部に後耳が形成され、前記延出部の上端部に前耳が形成されている一方、前記支持具本体は、前記後耳から前記前耳にいたる前記軒樋の外面側に配される構成としたことを特徴とする。
【発明の効果】
【００１３】
請求項１に記載の軒樋支持具は上述した構成とされているため、雨量の多少などにおうじて、軒樋の雨水の排水容量を変動させることができる。
【００１４】
請求項２に記載の軒樋支持具は上述した構成とされているため、雨量の多少におうじたスムーズな回動が実現できる。
【００１５】
請求項３に記載の軒樋セットは上述した構成とされているため、雨量の多少などにおうじて、軒樋の雨水の排水容量を変動させることができる。
【００１６】
請求項４に記載の軒樋セットは上述した構成とされているため、排水容量を大きくでき、降雨量の多い地域に対応させることができる。
【図面の簡単な説明】
【００１７】
【図１】本発明の一実施形態に係る軒樋セットの説明図である。（ａ）は軒樋の縦断面図、（ｂ）は軒樋支持具の側面図である。
【図２】（ａ）（ｂ）は、同軒樋セットの取り付け状態の２態様を示す縦断面図である。
【図３】本発明の他の実施形態に係る軒樋セットの説明図である。（ａ）（ｂ）は、同軒樋セットの取り付け状態の２態様を示す縦断面図である。
【図４】本発明のさらに他の実施形態に係る軒樋セットの説明図である。（ａ）（ｂ）は、同軒樋セットの取り付け状態の２態様を示す縦断面図である。
【図５】図１〜図４に示した軒樋用の集水器の斜視図である。
【図６】本発明のさらに他の実施形態に係る軒樋セットの説明図である。（ａ）（ｂ）は、同軒樋セットの取り付け状態の２態様を示す縦断面図である。
【図７】本発明のさらに他の実施形態に係る軒樋セットの説明図である。（ａ）（ｂ）は、同軒樋セットの取り付け状態の２態様を示す縦断面図である。
【図８】図１に示した実施形態の変形例の説明図であり、（ａ）は軒樋の縦断面図、（ｂ）は軒樋支持具の側面図である。
【図９】（ａ）は従来の軒樋支持具の斜視図、（ｂ）は（ａ）の軒樋支持具の取り付け状態を示す側面図である。
【発明を実施するための形態】
【００１８】
以下に、本発明の実施の形態について、添付図面を参照しながら説明する。
【００１９】
軒樋支持具２０は、前耳１３と後耳１４とを備えた軒樋１０を支持する支持具本体２１を備えたものである。この軒樋支持具２０は、前耳１３が後耳１４よりも高く配される定常側と、前耳１３が後耳１４と略同高さ位置に配される最下側とのすくなくとも２箇所で軒樋１０を支持できるように、支持具本体２１を回動させるヒンジ部２３を備えている。
【００２０】
また、軒樋セット１は、このような軒樋支持具２０と軒樋１０とを組み合わせたものとされる。軒樋セット１に用いられる軒樋１０としては、本体部１１と、本体部１１の前端より上方に延出した延出部１２を備え、本体部１１の後端部に後耳１４が形成され、延出部１２の上端部に前耳１３が形成されているものを用いることが望ましい。支持具本体２１は、後耳１４から前耳１３にいたる軒樋１０の外面側に配されるものとされる。
【００２１】
この軒樋支持具２０で支持される軒樋１０としては、断面が略半円の円弧状のものや、半円よりも大きな円弧の形状のもの、角形のものが用いられる。以下、軒樋１０の形状、種類等におうじた種々の実施形態について説明する。
【００２２】
図１の軒樋セット１は、図１（ａ）に示す軒樋１０と、図１（ｂ）に示す軒樋支持具２０とを組み合わせてなり。軒樋１０は断面が半円か、あるいはそれよりもやや大きな円弧をなす丸樋であり、軒樋支持具２０はその軒樋１０を図１（ａ）に示す状態で保持できるように、側面が半円か、あるいはそれよりもやや大きな円弧をなす支持具本体２１と、この支持具本体２１を前方に配するための足部２２と、軒先面３（図２参照）に固定される固定部２４とを備えている。
【００２３】
軒樋１０は、図１（ａ）に示すように、半円よりもやや小さな円弧状の本体部１１と、その本体部１１の前端より上方に延出した延出部１２とを備え、延出部１２の上端に前耳１３が形成され、本体部１１の後端に後耳１４が形成されている。
【００２４】
図１（ａ）に示すように、本体部１１の円弧の中心を最下部とした場合、前耳１３は後耳１４の高さ位置（２点鎖線の位置）よりも延出部１２におうじた高さ分、高い位置に配される。なお、本体部１１と延出部１２との連続形状は円弧でなくてもよい。つまり、延出部１２は本体部１１の前端より上方に延びていればよく、やや前斜め上方に延びてもよいし、真上に延びてもよい。また、延出部１２は平板でもよいし、やや湾曲したものでもよい。
【００２５】
また、軒樋支持具２０は、その主たる部位が帯板を加工してなり、軒樋支持具２０を軒先面３に固定するための固定部２４と、固定部２４より前方に延出した足部２２と、その足部２２の前方において軒樋１０を支持する支持具本体２１とを備えた構成とされている。
【００２６】
支持具本体２１は、図１（ｂ）に示すように、支持する軒樋１０の形状、寸法におおむね合致した側面形状、寸法とされている。支持具本体２１は、湾曲板体の前端に曲げ可能な薄板が固着されて前耳保持部２５が形成され、後端に曲げ可能な薄板が固着されて後耳保持部２６が形成された構成とされている。
【００２７】
この湾曲板体は、側面視では半円よりもやや小さな円弧状の本体板部２１ａと、その本体板部２１ａの前端より上方に延出した延出板部２１ｂとを備え、延出板部２１ｂの上端に前耳保持部２５が形成され、本体板部２１ａの後端に後耳保持部２６が形成されている。
【００２８】
図１（ｂ）のように足部２２を水平に保持した状態では、前耳保持部２５が後耳保持部２６よりも高い位置に配され、また湾曲板体の前端部２１ｃが後端部２１ｄよりも高い位置に配される。
【００２９】
足部２２は、前部２２ａ、後部２２ｂと、それらを連結したヒンジ部２３とを備えている。足部２２がヒンジ部２３で折曲されていない状態、つまり平板体が水平状態にあるとき、軒樋１０は定常側とされる。この定常側では、図１（ｂ）に示すように、前耳保持部２５（前端部２１ｃ）は後耳保持部２６（後端部２１ｄ）よりも高い位置に配されている。
【００３０】
また、ヒンジ部２３により、前部２２ａおよび支持具本体２１が下方に回動し、図１（ｂ）の２点鎖線で示した、前耳保持部２５（前耳１３）が後耳保持部２６（後耳１４）と略同高さ位置に配された位置が、最下側とされる。
【００３１】
支持具本体２１および足部２２における前部２２ａは、ヒンジ部２３を回転軸として、定常側と最下側との間で回動する。このヒンジ部２３は、例えばトルクヒンジで構成されればよく、特に、雨水の重みの増大により下方へと回動し、雨水の重みの減少により上方に回動復帰する構成としたものが用いられればよい。なお、軒樋１０自体の重みがあるため、軒樋１０が支持されていないときでは、軒樋支持具２０の前部２２ａおよび支持具本体２１が、図１（ｂ）に示すように、やや持ち上がった状態であってもよい。
【００３２】
このような軒樋支持具２０および軒樋１０を用いることで、軒樋１０を図２（ａ）に示すように施工すれば、軒樋１０の延出部１２が上方に突出しているため、図２（ａ）中の白抜き方向から見た場合には、屋根５の軒先部分が延出部１２により隠れ、美観がすぐれたものとなる。
【００３３】
軒樋１０に雨水が流れていない状態では、図２（ａ）の定常側の状態が保持される。軒樋１０に雨水が流れると、重みが増大するため、支持具本体２１は下方への回動を開始する。雨水量（水位）が一定になれば回動は停止し、軒樋１０はその位置で保持される。その後さらに雨水量が増大すると、支持具本体２１の下方への回動が再開する。雨水量が増大方向に進み最下側へ到達すると、そこで回動は停止する。
【００３４】
図２（ａ）（ｂ）において２点鎖線で示すラインは、それぞれの位置での排水容量（最大水位Ｌ１、Ｌ２）を示しており、最下側での排水容量（最大水位Ｌ２）は定常側での排水容量（最大水位Ｌ１）よりも大きい。
【００３５】
ようするに、雨が降り続き軒樋１０内の水位が上がれば上がるほど、それにおうじて軒樋１０の排水容量も増大する。つまり、この軒樋１０および軒樋支持具２０よりなる軒樋セット１は、雨が降っていないときに普通あるいは少量の排水容量のものであっても、雨水量によって排水容量が変動する。そのため、この軒樋セット１を降雨量の多い地域などで使用すれば、大雨にも対応でき、軒樋１０のオーバーフローを防止することができる。
【００３６】
また、軒樋１０の雨水量が減少すると、トルクヒンジの作用により前部２２ａおよび支持具本体２１は上方へ回動し、雨水がなくなれば定常側へと復帰する。このようにスムーズな回動が実現できる。また、定常側、最下側間の軒樋支持具２０の変動は、雨水量の変動によりなされるため、手動で回動位置を調整しなくてもよい。また、雨の溜まっていない状態では、意匠性の高い軒樋１０を維持することができる。
【００３７】
なお、ヒンジ部２３は定常側への復帰のみを手動で行う構造のトルクヒンジとしてもよく、またバネヒンジとしてもよい。さらに、少なくとも定常側と最下側の２箇所で固定できるような、手動切り替え型のヒンジ部２３としてもよい。
【００３８】
図１に示したものは、定常側では、図２に示すように、前方下（図２（ａ）の白抜き矢印方向）から見た場合に、屋根５の軒先部分が延出部１２により隠れて見えないが、延出部１２をさらに長く形成したものとしてもよい。例えば図８（ａ）に示すように、延出部１２を屋根５の軒先側を巻き込むように長く形成してもよい。
【００３９】
図８の軒樋セットによれば、図８（ａ）に示すように、定常側では、前方上（図８（ａ）の白抜き矢印方向）から見ても屋根５の軒先部分が延出部１２により隠れて見えない。また、延出部１２が長くなり軒樋１０自体が大きくなるため、図８（ｂ）に示すように、定常側と最下側との排水容量（最大水位Ｌ１、Ｌ２）の差はさらに大きくなり、最下側ではより多くの雨量に対応することができる。
【００４０】
ついで、従来用いられている、例えば図９に示した軒樋１００を用いた実施形態に係る軒樋セット１について、図３を参照しながら説明する。
【００４１】
この軒樋セット１の軒樋１０（図９の軒樋１００）は、断面が半円か、あるいはそれよりもやや小さな円弧状とされている。また、軒樋支持具２０の支持具本体２１も、軒樋１０の断面形状、寸法に合致した形状、寸法とされている。軒樋支持具２０の足部２２は前部２２ａと後部２２ｂとがヒンジ部２３で連結され、後部２２ｂの後端に固定部２４が延出形成されている。
【００４２】
足部２２がヒンジ部２３で折曲されていない状態、つまり水平状態にあるとき、軒樋１０は定常側とされる。この定常側では、図３（ａ）に示すように、前耳保持部２５（前端部２１ｃ）は後耳保持部２６（後端部２１ｄ）よりも高い位置に配されている。
【００４３】
この定常側における軒樋１０の前耳１３を含む、後耳１４の高さ位置よりも上方に突出した部位が延出部１２とされ、それを除く部位が本体部１１とされる。また、定常側における軒樋支持具２０の支持具本体２１の前耳保持部２５を含む、後耳保持部２６の高さ位置よりも上方に突出した部位が延出板部２１ｂとされ、それを除く湾曲板体の部位が本体板部２１ａとされる。
【００４４】
このように、断面が半円かやや小さな円弧の、従来用いられている軒樋１０であっても、ヒンジ部２３を有した軒樋支持具２０を用いることで、定常側と最下側との間で回動する軒樋１０として利用することができる。図３（ａ）（ｂ）に示すように、定常側では、排水容量は軒樋１０を図９で用いる場合よりも小さく、最下側では、排水容量は図９で用いる場合と同じになる。
【００４５】
ようするに、この軒樋セット１によれば、降雨量の少ない地域で利用することができる。このような従来の軒樋１０を用いた場合でも、定常側では屋根５の軒先部分を隠すため、意匠性の高いものとして利用することができる。
【００４６】
ついで、他の軒樋セット１について、図４を参照しながら説明する。
【００４７】
この軒樋セット１の軒樋１０は、図１（ａ）のものと同様とされ、図４には同一の符号を付して、その説明は割愛する。軒樋支持具２０は、支持具本体２１と、足部２２と、固定部２４とを備えている。支持具本体２１は図１（ｂ）のものと同様とされ、図４には同一の符号を付してその説明は割愛する。足部２２および固定部２４は棒状材よりなり、足部２２は起立した前部２２ａと、後方に傾斜した後部２２ｂと、前部２２ａと後部２２ｂを連結したヒンジ部２３とを有し、固定部２４はその後部２２ｂより延び、後端に尖鋭部２４ａを備えている。この軒樋支持具２０は、尖鋭部２４ａを軒先の垂木７に打ち込んで固定されるようになっている。
【００４８】
この軒樋支持具１０についても、定常側と最下側との間で、雨水の重みの加減により、前部２２ａおよび支持具本体２１が回動する。なお、定常側から下方へと確実に回動できるように、前部２２ａは鉛直方向に起立せず、やや前方に傾いた状態を定常側として調整することが望ましい。また、確実に回動できるように、ヒンジ部２３を図４（ａ）に示したＡ部に設けてもよい。
【００４９】
この軒樋セット１によっても、図１や図３のものと同様に、降雨量におうじて排水容量（最大水位Ｌ１、Ｌ２）を変動させることができる。
【００５０】
以上に示した４種（図１、図３、図４および図８）の例はいずれも軒樋１０は丸樋であり、図５に示したような集水器３０に接続して、竪樋３５に雨水を流せるようにしてある。
【００５１】
この集水器３０の側面には、下方側が湾曲した連結孔３１が開設してある。この連結孔３１は、軒樋１０が接続された状態で軒樋１０が定常側と最下側の間で回動しても、接続部分でスムーズに回動できるように、やや大きめに形成されている。
【００５２】
ついで、角樋に対応した他の軒樋セット１について、図６を参照しながら説明する。
【００５３】
この軒樋セット１の軒樋１０は、前壁部１１ａと底部１１ｂと後壁部１１ｃを有した角形の本体部１１と、本体部１１の上端（前壁部１１ａの上端）より上方に延出した延出部１２とを備え、延出部１２の上端に前耳１３が形成され、本体部１１の後端に後耳１４が形成されている。図４（ａ）に示すように、底部１１ｂを水平に配した場合、前耳１３は後耳１４の高さ位置よりも延出部１２におうじた高さ分、高い位置に配される。なお、延出部１２は本体部１１の上端よりやや斜め上方に延びてもよいし、真上に延びてもよい。また、延出部１２は平板でもよいし、やや湾曲したものでもよい。
【００５４】
また、軒樋支持具２０は、その主たる部位が帯板を加工してなり、軒樋支持具２０を軒先面３に固定するための固定部２４と、固定部２４より前方に延出した足部２２と、その前方において軒樋１０を支持する支持具本体２１とを備えた構成とされている。
【００５５】
支持具本体２１は、図６（ａ）に示すように、支持する軒樋１０の形状、寸法におうじた側面形状、寸法とされており、支持具本体２１は、角形板体の前端に曲げ可能な薄板が固着されて前耳保持部２５が形成され、後端に曲げ可能な薄板が固着されて後耳保持部２６が形成された構成とされている。
【００５６】
この角形板体は、側面視で角形の本体板部２１ａと、その本体板部２１ａの前端より上方に延出した延出板部２１ｂとを備え、延出板部２１ｂの上端に前耳保持部２５が形成され、本体板部２１ａの後端に後耳保持部２６が形成されている。
【００５７】
図６（ａ）のように足部２２を水平に保持した状態では、前耳保持部２５が後耳保持部２６よりも高い位置に配され、角形板体の前端部２１ｃが後端部２１ｄよりも高い位置に配される。
【００５８】
足部２２は、前部２２ａと、後部２２ｂと、それらを連結したヒンジ部２３とを備えている。足部２２がヒンジ部２３で折曲されていない状態、つまり水平状態にあるとき、軒樋１０は定常側とされる。この定常側では、図６（ａ）に示すように、前耳保持部２５（前端部２１ｃ）は後耳保持部２６（後端部２１ｄ）よりも高い位置に配されている。
【００５９】
また、ヒンジ部２３により前部２２ａおよび支持具本体２１が下方に回動し、前耳１３が後耳１４と略同高さ位置に配された位置が、最下側とされる（図６（ｂ）参照）。
【００６０】
支持具本体２１および足部２２における前部２２ａは、ヒンジ部２３を回転軸として、定常側と最下側との間で回動する。このヒンジ部２３はトルクヒンジで構成されればよく、特に、雨水の重みの増大により下方へと回動し、雨水の重みの減少により上方に回動する構成としたものが用いられればよい。
【００６１】
この軒樋セット１も図１のものと同様、ヒンジ部２３がトルクヒンジで構成されているため、定常側、最下側との間で回動が自在とされ、そのため図１のものと同様の効果が奏される。
【００６２】
ついで、角樋用の他の軒樋セット１について、図７を参照しながら説明する。
【００６３】
この軒樋セット１の軒樋１０は、前耳１３を除き、図６のものとおおむね同様の形状とされる。なお、本軒樋１０の前耳１３は、後ろ側に折曲されたフック形状とされている。
【００６４】
一方、軒樋支持具２０は、軒樋１０を吊り支持するタイプの支持具とされ、支持具本体２１と、足部２２と、固定部２４とを備えている。足部２２と固定部２４とは一体とされるが、支持具本体２１はこれらとは別体とされる。支持具本体２１は前後に延びる板状体とされ、長手方向に沿って長孔（不図示）が開設され、その長孔の適所で足部２２の前端部が連結されるようになっている。このように、足部２２の長孔への連結位置により、軒樋１０の出具合を調節できるようになっている。
【００６５】
また、支持具本体２１は、図７（ａ）（ｂ）に示すように、前端に前耳保持部２５が形成され、後端にばね片２６ａが固着されて耳収容部を有した後耳保持部２６が形成された構成とされている。
【００６６】
この支持具本体２１は、長孔を有した略平板状の本体板部２１ａと、その本体板部２１ａの前端より上方に延出した延出板部２１ｂとを備え、延出板部２１ｂの上端に前耳保持部２５が形成され、本体板部２１ａの後端に後耳保持部２６が形成されている。
【００６７】
図７（ａ）のように足部２２を水平に保持した状態では、前耳保持部２５が後耳保持部２６よりも高い位置に配され、角形板体の前端部２１ｃが後端部２１ｄよりも高い位置に配される。
【００６８】
足部２２は、前部２２ａと、後部２２ｂと、それらを連結したヒンジ部２３とを備えている。足部２２がヒンジ部２３で折曲されていない状態、つまり水平状態にあるとき、軒樋１０は定常側とされる。この定常側では、図７（ａ）に示すように、前耳保持部２５（前端部２１ｃ）は後耳保持部２６（後端部２１ｄ）よりも高い位置に配されている。
【００６９】
また、ヒンジ部２３により前部２２ａおよび支持具本体２１が下方に回動し、前耳１３が後耳１４と略同高さ位置に配された位置が、最下側とされる（図７（ｂ）参照）。
【００７０】
支持具本体２１および足部２２における前部２２ａは、ヒンジ部２３を回転軸として、定常側と最下側との間で回動する。このヒンジ部２３はトルクヒンジで構成されればよく、特に、雨水の重みの増大により下方へと回動し、雨水の重みの減少により上方に回動する構成としたものが用いられればよい。
【００７１】
この軒樋セット１も図１のものと同様、ヒンジ部２３がトルクヒンジで構成されており、定常側、最下側との間で回動が自在とされ、そのため図１のものと同様の効果が奏される。
【符号の説明】
【００７２】
１          軒樋セット
３          軒先面
５          屋根
７          垂木
１０        軒樋
１１        本体部
１１ａ      前壁部
１１ｂ      底部
１１ｃ      後壁部
１２        延出部
１３        前耳
１４        後耳
２０        軒樋支持具
２１        支持具本体
２１ａ      本体板部
２１ｂ      延出板部
２１ｃ      前端部
２１ｄ      後端部
２２        足部
２２ａ      前部
２２ｂ      後部
２３        ヒンジ部
２４        固定部
２４ａ      尖鋭部
２５        前耳保持部
２６        後耳保持部
２６ａ      ばね片
３０        集水器
３１        連結孔
３５        竪樋
Ｌ１、Ｌ２  最大水位
【図１】
2020133185.tif 000003
【図２】
2020133185.tif 000004
【図３】
2020133185.tif 000005
【図４】
2020133185.tif 000006
【図５】
2020133185.tif 000007
【図６】
2020133185.tif 000008
【図７】
2020133185.tif 000009
【図８】
2020133185.tif 000010
【図９】
2020133185.tif 000011